(57)【要約】      （修正有）【課題】体の不自由な人が、車イスや病院用ベッド上で直接排泄ができる介護用上下続き服を提供する。【解決手段】排泄可能な介護用上下続き服は、パンツ体１０ａと、柔らかい布の後側８０に設置される２本の第一引き紐８４と、肩を周った後に２つのポケット内に固定されるように第一引き紐に連結される２本の第二引き紐とを備える。これにより、患者が他人の助けを一切借りずに、自分の両手を使って２本の第二引き紐を引くと、第二引き紐により第一引き紐８４が牽引され、柔らかい布の後側８０がＵ字型開口部１３から後に向けて移動し、パンツ体１０ａは使用者が排泄可能な状態となる。【選択図】図３
0003218513.tif 000002
【実用新案登録請求の範囲】
【請求項１】
パンツ及び上着で構成される排泄可能な介護用上下続き服であって、
前記パンツは、
ウェストバンド及び前記ウェストバンドに接続される２つのズボン脚を含み、前記２つのズボン脚の内側に隣接する箇所には前側面から後にかけて排泄するためのＵ字型開口部が設けられ、前記Ｕ字型開口部の上方には第一面ファスナーが設置されることを特徴とするパンツ体と、
前記パンツ体の内縁の前側に設けられ、且つ上端は前記ウェストバンドの下方に縫合され、下端は前記Ｕ字型開口部の前側の内縁面まで延伸され、且つ前記上端に近接する中間位置には貫通孔が設けられる柔らかい布の前側と、
中間部が弧形突起状を呈する導尿溝及び前記導尿溝周辺に位置される位置決め面を含み、前記位置決め面の上段部は前記導尿溝の弧度に対応し、下段部は前記導尿溝の底端から前に向けて傾斜するように延伸され、前記導尿溝の前側には前記柔らかい布の前側の貫通孔に対する箇所に凸状のＤ型物が設けられる導尿バッグ用カバーであって、前記位置決め面が前記柔らかい布の前側の内縁面に縫合されることにより固定され、且つ前記Ｄ型物は前記貫通孔から突出され、前記導尿バッグ用カバー及び前記柔らかい布の前側により導尿及び遮断機能を有する前部シールドシートが構成される前記導尿バッグ用カバーと、
前記パンツ体の後側に設けられ、上端は前記ウェストバンドの下方に縫合され、下端は前記Ｕ字型開口部の底縁まで延伸され、且つ左右両側にはカラーが設けられ、前記下端の外縁面には第二面ファスナーが設置される柔らかい布の後側と、
後側上端部は自由端であり、前記カラーを貫通させた後に前記柔らかい布の後側の前記上端まで延伸され、前記自由端には第一ホックが設置される２本の第一引き紐であって、前記第一引き紐は前記カラーの下方の前記柔らかい布の後側の前記下端に近接する位置が縫合糸により前記柔らかい布の後側の内縁面に固定され、且つ２本の前記第一引き紐の前端は上に向けて前記導尿バッグ用カバーの前記Ｄ型物まで延伸されると共に前記Ｄ型物に結び付けられて結び目が形成される２本の前記第一引き紐と、
前端及び後端には前記パンツ体の前記第一面ファスナー及び前記柔らかい布の後側の前記第二面ファスナーに対する箇所に第三面ファスナー及び第四面ファスナーがそれぞれ設置され、前記パンツ体のＵ字型開口部の底縁に分離可能に貼着されるマスキング布と、
を備え、
前記上着は、
前記上着の前側面に２つのポケットを有する上着部分と、
後側底端には２本の前記第一引き紐の第一ホックに対する箇所に、相互に連結される少なくとも１つの第二ホックが設置され、且つ２本の第二引き紐は前記上着部分の後側の内縁面に設置され、前記第二引き紐の前端は肩に近接する位置が前記上着部分の孔部から抜出された後、前記肩を周って前記２つのポケット内にそれぞれ固定されるように連結される２本の前記第二引き紐と、
を備え、
これにより、患者が自分で両手を使って２本の前記第二引き紐を引っ張ると、２本の前記第二引き紐により２本の前記第一引き紐が牽引され、前記柔らかい布の後側が前記Ｕ字型開口部から後に向けて移動され、前記パンツ体が使用者が排泄可能な状態となり、且つ排泄が終わった後に患者が自分の両手を使って２本の前記第一引き紐を前に向けて引くと、前記柔らかい布の後側が後から前に向けて移動し、前記Ｕ字型開口部の下方に戻されることを特徴とする介護用上下続き服。
【請求項２】
前記柔らかい布の前側、前記柔らかい布の後側、及び前記マスキング布は、布生地、プラスチック製布様材料、ナイロン布で構成されることを特徴とする請求項１に記載の介護用上下続き服。
【考案の詳細な説明】
【技術分野】
【０００１】
本考案は、介護用上下続き服（つなぎ服）に関する。
【背景技術】
【０００２】
昨今の高齢化に伴って、体が不自由な人が車いすを使用して移動するようになっている。
体が不自由な患者や老人が排泄を行う場合、身体を移動させずに車いす上や病院用ベッド上で直接排泄を行えるようになるのが最も理想的である。このため、一部の車いすや病院用ベッドには、排泄装置が直接搭載されている。
例えば、図１Ａは従来の排泄可能な車いす９０を示す外観斜視図である。シート９１には排泄孔９２が設けられ、排泄孔９２の下方には受け容器９３が設置されている。
また、図１Ｂは従来の他の排泄可能な車いす９０を示す外観斜視図である。臀部の自動洗浄を行う洗浄装置９４が増設されている。
なお、図１Ｃは従来の排泄可能な病院用ベッド１００を示す外観斜視図である。マットレス１０１には排泄孔１０２が設けられ、排泄孔１０１の下方には受け容器１０３が設置され、且つ洗浄装置１０４も設置されている。
【０００３】
しかし、前述の従来技術では、使用者はパンツを脱いで排泄動作を行う必要があるが、室外でパンツを脱ぐことは、家族及び患者にとって非常に困難であった。
【０００４】
すなわち、従来のパンツはウェストバンドとウェストバンドに接続される２つのズボン脚とチャックとを備え、使用者はウェストバンドからチャックを下に引いてパンツを開くが、従来のパンツのチャックは下着のパンツを十分に開けるほど完全には開かないため、車いすに座っている体が不自由な人がチャックを開け、直接排泄を行うことは難しかった。
このように、体が不自由な人は排泄時に様々な不便に直面するため、従来技術にはなお改善の余地がある。
【０００５】
詳しくみると、例えば図１Ｄに示されるように、本考案者による特許文献１（原特許である特許文献２も参照）に記載されている「排泄可能な介護パンツ」の主要構造は、２つのズボン脚１２’の内側に隣接する箇所にＵ字型開口部１３’が設けられ、２本の前位置決めベルト２０’及び後位置決めベルト３０’はウェストバンド１１の前側及び後側にそれぞれ設置される。
２本の前管体４０’及び後管体５０’は２本の前位置決めベルト２０’及び後位置決めベルト３０’の下方に設置される。防水性を有するマスク６０’の上端部がパンツ体１０’に固定され、且つ下端がＵ字型開口部１３’の前方に位置される。
移動可能な柔らかい布７０’はＵ字型開口部２３’の下方に対して設けられ、前端は２本の弾性ベルト７１’に接合され、自由端は前管体４０’を貫通させて前位置決めベルト２０’に定位され、且つ後端は２本の引き紐７２’に接合される。また、後管体５０’及び後位置決めベルト３０’の案内輪（図示省略）は布７０’を貫通する。
２本の引き紐７２’の自由端７２１’が引かれると、柔らかい布７０’がＵ字型開口部１３’から後に向けて移動され、使用者が排泄可能になり、且つ弾性ベルト７１’により柔らかい布７０’が元に戻される。
これにより、体が不自由な人が、車いすや病院用ベッド上で直接排泄可能となり、使用者の尊厳が守られるとともに便利になる。
【先行技術文献】
【特許文献】
【０００６】
【特許文献１】中国特許出願第１０７９２７９４６Ａ号公報
【特許文献２】台湾特許第５８６３３８号公報
【考案の概要】
【考案が解決しようとする課題】
【０００７】
しかし、上述の先行案でも、体が不自由な人が車いすや病院用ベッド上で直接排泄可能にはなるが、使用には介護者や他人の助けが必要である。
すなわち、２本の引き紐７２’の自由端７２１’を引っ張ってもらわなければ、柔らかい布７０’をＵ字型開口部から後に向けて移動させられず、体が不自由な人が他人の助けを一切借りずに車いすや病院用ベッド上で自力での排泄を可能にする機能は備えられていなかった。よって、なお改善の余地がある。本考案者は先行案を基礎とし、その欠点の改善に心血を注ぎ続けた結果、本考案の完成に至った。
【０００８】
本考案は、このような従来の問題に鑑みてなされたものである。上記課題解決のため、本考案は、排泄可能な介護用上下続き服を提供することを主な目的とする。すなわち、体が不自由な人が他人の助けを一切借りずに車いすや病院用ベッド上で、自力で排泄することを可能にし、先行案で達成できなかった効果を達成する。
【課題を解決するための手段】
【０００９】
本考案のある態様の排泄可能な介護用上下続き服は、パンツ及び上着で構成される。
【００１０】
パンツは、パンツ体と、柔らかい布の後側と、導尿バッグ用カバーと、柔らかい布の後側と、２本の第一引き紐と、マスキング布と、を備える。
【００１１】
パンツ体は、ウェストバンド及びウェストバンドに接続される２つのズボン脚を含み、２つのズボン脚の内側に隣接する箇所には前側面から後にかけて排泄するためのＵ字型開口部が設けられる。Ｕ字型開口部の上方には、第一面ファスナーが設置されることを特徴とする。
【００１２】
柔らかい布の前側は、パンツ体内縁の前側に設けられ、且つ上端はウェストバンドの下方に縫合され、下端はＵ字型開口部の前側の内縁面まで延伸され、且つ上端に近接する中間位置には貫通孔が設けられる。
【００１３】
導尿バッグ用カバーは、中間部が弧形突起状を呈する導尿溝及び導尿溝周辺に位置される位置決め面を含み、位置決め面の上段部は導尿溝の弧度に対応し、下段部は導尿溝の底端から前に向けて傾斜するように延伸される。導尿溝の前側には柔らかい布の前側の貫通孔に対する箇所に凸状のＤ型物が設けられる。
導尿バッグ用カバーは位置決め面が柔らかい布の前側の内縁面に縫合されることにより固定され、且つＤ型物は貫通孔から突出され、導尿バッグ用カバー及び柔らかい布の前側により導尿及び遮断機能を有する前部シールドシートが構成される。
【００１４】
柔らかい布の後側は、パンツ体の後側に設けられ、上端はウェストバンドの下方に縫合され、下端はＵ字型開口部の底縁まで延伸され、且つ左右両側にはカラーが設けられ、下端の外縁面には第二面ファスナーが設置される。
【００１５】
２本の第一引き紐の後側上端部は自由端であり、カラーを貫通させた後に柔らかい布の前側の上端まで延伸され、自由端には第一ホックが設置される。第一引き紐はカラーの下方の下端に近接する位置が縫合糸により柔らかい布の後側の内縁面に固定され、且つ２本の第一引き紐の前端は上に向けて導尿バッグ用カバーのＤ型物まで延伸されると共にＤ型物に結び付けられて結び目が形成される。
【００１６】
マスキング布は、前端及び後端にはパンツ体の第一面ファスナー及び柔らかい布の後側の第二面ファスナーに対する箇所に第三面ファスナー及び第四面ファスナーがそれぞれ設置され、パンツ体のＵ字型開口部の底縁に分離可能に貼着される。
【００１７】
上着は、上着部分と、２本の第二引き紐と、を備える。
上着部分は、上着の前側面に２つのポケットを有する。
２本の第二引き紐の後側底端には２本の第一引き紐の第一ホックに対する箇所に相互に連結される少なくとも１つの第二ホックが設置され、且つ２本の第二引き紐は上着部分の後側の内縁面に設置され、前端は肩に近接する位置が上着部分の孔部から抜出された後、肩を周って２つのポケット内にそれぞれ固定されるように連結される。
【００１８】
これにより、患者が自分で両手を使って２本の第二引き紐を引っ張ると、２本の第二引き紐により２本の第一引き紐が牽引され、柔らかい布の後側がＵ字型開口部から後に向けて移動し、パンツ体は使用者が排泄可能な状態となる。一方、排泄が終わった後に患者が自分の両手を使って２本の第一引き紐を前に向けて引くと、柔らかい布の後側が後から前に向けて移動し、Ｕ字型開口部の下方に戻る。
【考案の効果】
【００１９】
上記の技術手段により、本考案は、病人や老人等が他人の助けを一切借りずに、車いすや病院用ベッド上で、自分で排泄することを可能にする。これにより、患者の尊厳が守られ、また便利になる。
また、本考案は看護者や家族にとっても介護の負担が軽減される、人に優しい設計の介護用パンツを備えた介護用上下続き服であり、先行案では達成できなかった効果を達成する。
【図面の簡単な説明】
【００２０】
【図１Ａ】従来の排泄可能な車いすを示す斜視図である。
【図１Ｂ】従来の他の排泄可能な車いすを示す斜視図である。
【図１Ｃ】従来の排泄可能な病院用ベッドを示す斜視図である。
【図１Ｄ】先行技術の特許文献２の排泄可能な介護パンツを示す斜視図である。
【図２Ａ】本考案の一実施形態による、前部シールドシートを示す分解斜視図である。
【図２Ｂ】本考案の一実施形態による、前部シールドシートを示す斜視図である。
【図２Ｃ】本考案の一実施形態による、前部シールドシートを示す断面図である。
【図２Ｄ】本考案の一実施形態による、第一引き紐が前部シールドシートにつけられた状態を示す斜視図である。
【図３】本考案の一実施形態による、前部シールドシートを示す分解傾斜図である。
【図４】本考案の一実施形態による、排泄可能な介護用上下続き服の組立状態を示す斜視図である。
【図５Ａ】本考案の一実施形態による、マスキング布がパンツ体のＵ字型開口部から取り外された状態を示す斜視図である。
【図５Ｂ】本考案の一実施形態による、マスキング布がパンツ体のＵ字型開口部に貼着されている状態を示す斜視図である。
【図６】本考案の一実施形態による、排泄可能な介護用上下続き服を示す斜視図である。
【図７】本考案の一実施形態による、排泄可能な介護用上下続き服の使用状態を示す正面図である。
【図８】本考案の一実施形態による、排泄可能な介護用上下続き服の使用状態を示す背面図である。
【図９】本考案の一実施形態のＵ字型開口部が閉鎖された状態を示す断面図である。
【図１０】本考案の一実施形態のＵ字型開口部が開放された状態を示す断面図である。
【図１１】本考案の排泄可能な介護用上下続き服が車椅子にて使用された状態を示す正面図である。
【図１２】本考案の排泄可能な介護用上下続き服が病床にて使用された状態を示す斜視図である。
【考案を実施するための形態】
【００２１】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【００２２】
（一実施形態）
まず、図２Ａ〜１０を参照しながら、本考案をさらに詳しく説明する。
本考案の実施形態は、パンツ及び上着で構成される。パンツは、ウェストバンド１１及びウェストバンド１１に接続される２つのズボン脚１２を含み、且つ２つのズボン脚１２の内側に隣接する箇所には前側面から後にかけて排泄するためのＵ字型開口部１３が設けられるパンツ体１０を備える（図３参照）。
但し、以上は従来技術であり、出願人の先行案に記載されているため、詳述は省く。
【００２３】
本考案の主な特徴として、パンツ体のＵ字型開口部上方には、第一面ファスナー１４が設置される。柔らかい布の前側７０はパンツ体１０内縁の前側に設置される。柔らかい布の前側７０の上端７１はウェストバンド１１の下方に縫合され、下端７２はＵ字型開口部１３の前側の内縁面まで延伸される。柔らかい布の前側７０の上端７１に近接する中間位置には貫通孔７３が設けられる（図２Ａ参照）。
【００２４】
導尿バッグ用カバー６０は、中間部が弧形突起状を呈する導尿溝６１及び導尿溝６１周辺に位置される位置決め面６２を備える。
位置決め面６２の上段部６２１は導尿溝６１の弧度に対応し、下段部６２２は導尿溝６１の底端から前に向けて傾斜するように延伸される。
導尿溝６１の前側には柔らかい布の前側７０の貫通孔７３に対する箇所に凸状のＤ型物６３が設けられる。
導尿バッグ用カバー６０は位置決め面６２が柔らかい布の前側７０の内縁面に縫合されることにより固定される。
Ｄ型物６３は貫通孔７３から突出され、導尿バッグ用カバー６０及び柔らかい布の前側７０により、導尿及び遮断機能を有する前部シールドシート５０が構成される（図２Ａ及び図２Ｃ参照）。
本実施形態では、導尿バッグ用カバー６０はシリコーンゴム等の軟性材料で構成される防水層であるが、但し材料の選択に関してはこの限りではない。
【００２５】
柔らかい布の後側８０はパンツ体１０の後側に設置され、且つ柔らかい布の後側８０の上端８１はウェストバンド１１の下方に縫合され、下端８２はＵ字型開口部１３の底縁まで延伸される。
柔らかい布の後側８０の左右両側にはカラー８３が設置され、柔らかい布の後側８０の下端８２の外縁面には第二面ファスナー８６が設置される。
【００２６】
２本の第一引き紐８４については、第一引き紐８４の後側上端部は自由端であり、カラー８３を貫通させた後に柔らかい布の後側８０の上端８１まで延伸され、自由端には第一ホック８４１が設置される。
また、第一引き紐８４はカラー８３の下方の下端８２に近接する位置が縫合糸８４２により柔らかい布の後側８０の内縁面に固定され、且つ２本の第一引き紐８４の前端が上に向けて導尿バッグ用カバー６０のＤ型物６３まで延伸されると共にＤ型物６３に結び付けられて結び目８４３が形成される（図２Ｄ参照）。
なお、本実施形態では、柔らかい布の後側８０の上端８１がウェストバンド１１の下方に縫合され、２本の第一引き紐８４の上段部までは縫合されない。これにより、柔らかい布の後ろ側８０を引っ張ることが可能な状態になり、縫合糸８４２により固定される位置まで柔らかい布の後側８０が引っ張られて移動する（図３及び図６参照）。
つまり、２本の第一引き紐８４の上端部（第一ホック８４１）が引っ張られると、カラー８３は位置決め作用のみ発揮し、引っ張られる力は受けない。引っ張られる力は、縫合糸８４２により固定される位置にかかる（図１０参照）。
２本の第一引き紐８４の上端部（第一ホック８４１）が引っ張られると、柔らかい布の後側８０のＵ字型開口部１３に位置される部分が後に向けて引っ張られ、折り畳まれた状態が形成される。この際、Ｕ字型開口部１３が開いた状態となる。
さらに、図９に示されるように、排泄が不要な平常時には、柔らかい布の後側８０は、使用者が自分で２本の第一引き紐８４の前端を引っ張ると柔らかい布の後側８０がＵ字型開口部１３の底縁まで引っ張られ、２本の第一引き紐８４の前端が導尿バッグ用カバー６０のＤ型物６３まで引っ張られ、且つＤ型物６３に結び付けられて結び目８４３が形成される。
【００２７】
マスキング布５１の前端及び後端は、パンツ体１０ａの第一面ファスナー１４及び柔らかい布の後側８０の第二面ファスナー８６に対する箇所に、第三面ファスナー５２及び第四面ファスナー５３がそれぞれ設置され、マスキング布５１がパンツ体のＵ字型開口部１３の底縁に分離可能に貼着される。
マスキング布５１は排泄が不要な平常時に、患者の下半身が露出しないようにし、排泄が必要な際には簡単に取り外せる（図５Ａ及び図５Ｂ参照）。
本実施形態では、柔らかい布の前側７０、柔らかい布の後側８０、及びマスキング布５１は、布生地、プラスチック製布様材料、ナイロン布で構成される。
【００２８】
本考案が更に備える上着は、図５Ａ、図５Ｂ、図６及び図７に示されるように、前側面に２つのポケット１５を有する上着部分１０ｂ及び２本の第二引き紐８５を備える。
２本の第二引き紐８５の後側底端には２本の第一引き紐８４の第一ホック８４１に対する箇所に相互に連結される、少なくとも１つの第二ホック８５１が設置され、且つ２本の第二引き紐８５は上着部分１０ｂの後側の内縁面に設置され、その前端８５１は肩１７に近接する位置で上着部分１０ｂの孔部１６から抜出された後、肩１７を周って、その前端８５２により２つのポケット１５内にそれぞれ固定されるように連結される。
本実施形態において、２本の第一引き紐８４の前端８５２は２つのポケット１５内に縫合される。このため患者が引っ張りやすくなり、且つ脱落しない。
本実施形態では、第一ホック８４１及び第二ホック８５１は通常の女性用ブラジャーのホックであり、着脱が便利であるという特性を有する。
【００２９】
よって、本考案は、患者が他人の助けを一切借りず、上着部分１０ｂに設置される２本の第二引き紐８５により車いすや病院用ベッド上で、自力で排泄できるようにする。第二引き紐８５の前端が病人の胸の前に位置されるため、他人の手を借りる必要がない。
【００３０】
これにより、患者が自分の両手を使って２本の第二引き紐８５を引くと、２本の第二引き紐８５により２本の第一引き紐８４が牽引され、柔らかい布の後側８０がＵ字型開口部１３から後に向けて移動されると、パンツ体は使用者が排泄可能な状態になる。
排泄が終わった後、患者が自分の両手を使って２本の第一引き紐８４を前に向けて引っ張ると、柔らかい布の後側８０が、後から前に向けてＵ字型開口部１３の下方まで戻される。
【００３１】
前述の構成に基づいて、本考案の使用方式及び以下の効果について更に説明する。
第一に、導尿及び遮断機能を有する前部シールドシート５０は、柔らかい布の前側７０及び導尿バッグ用カバー６０で構成される（図２Ｃ参照）。
柔らかい布の前側７０の上端部７１はパンツ体１０ａに縫合されて固定され、下端７２がＵ字型開口部１３の前方に位置される。
導尿バッグ用カバー６０は防水性材質で構成されるため、パンツが尿で濡れることを防止する機能を有する。また、導尿溝６１が弧状体に設置されるため下向きに導尿される。
導尿バッグ用カバー６０の下段部６２２は導尿溝６１の底端から前に向けて傾斜するように延伸されるため、柔らかい布の前側７０が尿で濡れることを防止する機能を有する。
【００３２】
第二に、本考案では、第一引き紐８４及び第二引き紐８５が先ずパンツ体１０ａ及び上着部分１０ｂにそれぞれ設置され、第一ホック８４１及び第二ホック８５１により連結された後、第二引き紐８５が肩１７を周った後に２つのポケット１５内にそれぞれ固定されるように連結され、第二引き紐８５の前端８５２が病人の胸の前に位置される。
これにより、他人の手を借りずとも病人が車いすや病院用ベッド上で、自力で排泄できるようになる。
【００３３】
第三に、本考案は、主に図１Ａ乃至図１Ｃに示されるような排泄可能な車いす９０または病院用ベッド１００と組み合わせられて使用される。
但し、排泄可能な車いす９０または病院用ベッド１００は先行技術であり、且つ本考案者が別途特許を出願しており、本考案の目的ではない。よって、その構造についての説明は省く。
図１１は本考案が車いす９０の場合に用いられる正面図である。使用者が排泄可能な車いす９０のパンツ体１０ａのシート９１に座ると、Ｕ字型開口部１３が排泄孔９２及び受け容器９３に位置する。但し、前部シールドシート５０により下半身が遮蔽されるため、プライバシーが侵害される恐れはない（図１１はマスキング布５１が取り外された状態を示す）。
患者は排泄可能な車いす９０で排泄を行え、他人に抱えられてトイレまで行く必要がないため、非常に便利である。
また、図１２は本考案が病院用ベッド１００の場合に用いられる斜視図である。その実用性及び利便性は、本考案が車いす９０にて使用される場合と同じであるため、説明は省略する。
【００３４】
上述の技術手段により、本考案は病人が他人の助けを一切借りずに車いすや病院用ベッド上で、自力で排泄できるようにし、患者の尊厳が守られ、利便性が高まる。また、看護者や家族にとっても負担が軽減される人に優しい設計である介護用パンツを備えた介護用上下続き服である。
【００３５】
以上、本考案の実施形態について図面を参照して詳述したが、具体的な構成はこの実施形態に限られるものではなく、本考案の要旨を逸脱しない範囲の設計変更等も含まれる。
【符号の説明】
【００３６】
１０ａ    パンツ体
１０ｂ    上着部分
１１      ウェストバンド
１２      ズボン脚
１３      Ｕ字型開口部
１４      第一面ファスナー
１５      ポケット
１６      孔部
１７      肩
５０      前部シールドシート
５１      マスキング布
５２      第三面ファスナー
５３      第四面ファスナー
６０      導尿バッグ用カバー
６１      導尿溝
６２      位置決め面
６２１    上段部
６２２    下段部
６３      Ｄ型物
７０      柔らかい布の前側
７１      上端
７２      下端
７３      貫通孔
８０      柔らかい布の後側
８１      上端
８２      下端
８３      カラー
８４      第一引き紐
８４１    第一ホック
８４２    縫合糸
８４３    結び目
８５      第二引き紐
８５１    第二ホック
８５２    前端
８６      第二面ファスナー
９０      車いす
９１      シート
９２      排泄孔
９３      受け容器
１００    病院用ベッド
【図１Ａ】
0003218513.tif 000003
【図１Ｂ】
0003218513.tif 000004
【図１Ｃ】
0003218513.tif 000005
【図１Ｄ】
0003218513.tif 000006
【図２Ａ】
0003218513.tif 000007
【図２Ｂ】
0003218513.tif 000008
【図２Ｃ】
0003218513.tif 000009
【図２Ｄ】
0003218513.tif 000010
【図３】
0003218513.tif 000011
【図４】
0003218513.tif 000012
【図５Ａ】
0003218513.tif 000013
【図５Ｂ】
0003218513.tif 000014
【図６】
0003218513.tif 000015
【図７】
0003218513.tif 000016
【図８】
0003218513.tif 000017
【図９】
0003218513.tif 000018
【図１０】
0003218513.tif 000019
【図１１】
0003218513.tif 000020
【図１２】
0003218513.tif 000021